(57)【特許請求の範囲】
【請求項１】
ドナー発展型ノードＢ（ドナーｅＮＢ）（１００４）から中継ノード（１００６）への伝送（１０１０）と、前記中継ノード（１００６）から前記中継ノード（１００６）に接続する少なくとも１つの移動端末（１００８）への下りリンク伝送（１０１２）との間の干渉を回避又は軽減するための、無線通信システムの前記中継ノード（１００６）における方法であって、
前記中継ノードから前記少なくとも１つの移動端末への前記下りリンク伝送（１０１２）に少なくとも１つの中断を設けるステップと、
前記少なくとも１つの中断の間に、前記ドナーｅＮＢ（１００４）からの前記伝送（１０１０）を受信するステップと、
を含み、
前記下りリンク伝送（１０１２）と、前記ドナーｅＮＢからの前記伝送（１０１０）は、重複した周波数帯域で行われ、
前記少なくとも１つの中断は、マルチキャスト／ブロードキャスト単一周波数ネットワーク・サブフレーム・フォーマット（ＭＢＳＦＮサブフレーム・フォーマット）を使用することによって設けられており、
前記ドナーｅＮＢから前記中継ノードへの前記伝送におけるサブフレームは、前記下りリンクのサブフレームに対して１つ以上のＯＦＤＭシンボル期間だけ時間シフト（６０４）される、
ことを特徴とする方法。
【請求項２】
前記少なくとも１つの中断は、後方互換を可能にさせる対象の移動端末であるレガシー移動端末が知っている前記ＭＢＳＦＮサブフレーム・フォーマットを使用することによって設けられている、
ことを特徴とする請求項１に記載の方法。
【請求項３】
前記少なくとも１つの中断は、サブフレームの内容が、参照シンボル及び制御信号に制限されている前記ＭＢＳＦＮサブフレーム・フォーマットを使用することによって設けられ、
前記参照シンボル及び前記制御信号に割り当てられている前記サブフレームのＯＦＤＭシンボルの数は３シンボル未満である、
ことを特徴とする請求項１又は２に記載の方法。
【請求項４】
前記時間シフトされるＯＦＤＭシンボル期間の数は、前記中継ノードのセル内のサブフレームに使用されている制御領域の期間（４０４）に基づき選択される、
ことを特徴とする請求項１から３のいずれか１項に記載の方法。
【請求項５】
前記ドナーｅＮＢから前記中継ノードへの前記伝送における少なくとも１つのサブフレームの最終部（７０６）は未使用のまま伝送される、
ことを特徴とする請求項１から４のいずれか１項に記載の方法。
【請求項６】
前記未使用の部分の時間長（７０４）は、前記サブフレームの前記時間シフトされるＯＦＤＭシンボル期間の数に依存する、
ことを特徴とする請求項５に記載の方法。
【請求項７】
ドナー発展型ノードＢ（ドナーｅＮＢ）（１００４）から中継ノード（１００６）への伝送（１０１０）と、前記中継ノード（１００６）から前記中継ノード（１００６）に接続する少なくとも１つの移動端末（１００８）への下りリンク伝送（１０１２）との間の干渉を回避又は軽減するための、無線通信システムの前記中継ノード（１００６）における方法であって、
前記中継ノードから前記少なくとも１つの移動端末への前記下りリンク伝送（１０１２）に少なくとも１つの中断を設けるステップと、
前記少なくとも１つの中断の間に、前記ドナーｅＮＢ（１００４）からの前記伝送（１０１０）を受信するステップと、
を含み、
前記下りリンク伝送（１０１２）と、前記ドナーｅＮＢからの前記伝送（１０１０）は、重複した周波数帯域で行われ、
前記少なくとも１つの中断は、マルチキャスト／ブロードキャスト単一周波数ネットワーク・サブフレーム・フォーマット（ＭＢＳＦＮサブフレーム・フォーマット）を使用することによって設けられており、
前記下りリンクの中断の数は、無線フレーム当たり複数の中断から、１未満の中断の間で変化させることができる、
ことを特徴とする方法。
【請求項８】
ドナー発展型ノードＢ（ドナーｅＮＢ）（１００４）から中継ノード（１００６）への伝送（１０１０）と、前記中継ノード（１００６）から前記中継ノード（１００６）に接続する少なくとも１つの移動端末（１００８）への下りリンク伝送（１０１２）との間の干渉を回避又は軽減するための、無線通信システムの前記中継ノード（１００６）における方法であって、
前記中継ノードから前記少なくとも１つの移動端末への前記下りリンク伝送（１０１２）に少なくとも１つの中断を設けるステップと、
前記少なくとも１つの中断の間に、前記ドナーｅＮＢ（１００４）からの前記伝送（１０１０）を受信するステップと、
を含み、
前記下りリンク伝送（１０１２）と、前記ドナーｅＮＢからの前記伝送（１０１０）は、重複した周波数帯域で行われ、
前記少なくとも１つの中断は、マルチキャスト／ブロードキャスト単一周波数ネットワーク・サブフレーム・フォーマット（ＭＢＳＦＮサブフレーム・フォーマット）を使用することによって設けられており、
前記中継ノードは、前記中断を設けるべき時点を決定し、
前記中継ノードは、前記下りリンク伝送に設ける中断の時間間隔を、関係する移動端末と、必要に応じて前記ドナーｅＮＢに通知する、
ことを特徴とする方法。
【請求項９】
ドナー発展型ノードＢ（ドナーｅＮＢ）（１００４）から中継ノード（１００６）への伝送（１０１０）と、前記中継ノード（１００６）から前記中継ノード（１００６）に接続する少なくとも１つの移動端末（１００８）への下りリンク伝送（１０１２）との間の干渉を回避又は軽減するための、無線通信システムの前記中継ノード（１００６）における方法であって、
前記中継ノードから前記少なくとも１つの移動端末への前記下りリンク伝送（１０１２）に少なくとも１つの中断を設けるステップと、
前記少なくとも１つの中断の間に、前記ドナーｅＮＢ（１００４）からの前記伝送（１０１０）を受信するステップと、
を含み、
前記下りリンク伝送（１０１２）と、前記ドナーｅＮＢからの前記伝送（１０１０）は、重複した周波数帯域で行われ、
前記少なくとも１つの中断は、マルチキャスト／ブロードキャスト単一周波数ネットワーク・サブフレーム・フォーマット（ＭＢＳＦＮサブフレーム・フォーマット）を使用することによって設けられており、
前記中継ノードは、前記中断を設けるべき時点を前記ドナーｅＮＢから通知され、
前記中継ノードは、前記下りリンク伝送に設ける中断の時間間隔を、関係する移動端末に通知する、
ことを特徴とする方法。
【請求項１０】
ドナー発展型ノードＢ（ドナーｅＮＢ）（９００、１００４）から中継ノード（８００、１００６）への伝送（８０８、１０１０）と、前記中継ノードから前記中継ノードに接続する少なくとも１つの移動端末（１００８）への下りリンク伝送（８０６、１０１２）との間の干渉を回避又は軽減する様に構成された、無線通信システムの前記中継ノードであって、
前記中継ノードから前記少なくとも１つの移動端末（１００８）への前記下りリンク伝送に少なくとも１つの中断を設ける様に構成された干渉回避部（８０２）と、
前記少なくとも１つの中断の間に、前記ドナーｅＮＢからの前記伝送（８０８、１０１０）を受信する様に構成された受信部（８０４）と、
を備えており、
前記下りリンク伝送（８０６、１０１２）と、前記ドナーｅＮＢからの前記伝送（８０８、１０１０）は、重複した周波数帯域で行われ、
前記少なくとも１つの中断は、マルチキャスト／ブロードキャスト単一周波数ネットワーク・サブフレーム・フォーマット（ＭＢＳＦＮサブフレーム・フォーマット）を使用することによって設けられており、
前記受信部は、前記下りリンクのサブフレームに対して１つ以上のＯＦＤＭシンボル期間だけ時間シフトされている、前記ドナーｅＮＢから前記中継ノードへの前記伝送におけるサブフレームを受信する様に、更に、構成されている、
ことを特徴とする中継ノード。
【請求項１１】
前記干渉回避部は、後方互換を可能にさせる対象の移動端末であるレガシー移動端末が知っている前記ＭＢＳＦＮサブフレーム・フォーマットを使用することによって、前記少なくとも１つの中断を設ける様に、更に、構成されている、
ことを特徴とする請求項１０に記載の中継ノード。
【請求項１２】
前記干渉回避部は、サブフレームの内容が、参照シンボル及び制御信号に制限されている前記ＭＢＳＦＮサブフレーム・フォーマットを使用することによって、前記少なくとも１つの中断を設ける様に、更に、構成され、
前記参照シンボル及び前記制御信号に割り当てられている前記サブフレームのＯＦＤＭシンボルの数は３シンボル未満である、
ことを特徴とする請求項１０又は１１に記載の中継ノード。
【請求項１３】
前記受信部は、前記時間シフトされているＯＦＤＭシンボル期間の数が、前記中継ノードのセル内のサブフレームに使用されている制御領域の期間に基づき選択されているサブフレームを受信する様に、更に、構成されている、
ことを特徴とする請求項１０から１２のいずれか１項に記載の中継ノード。
【請求項１４】
前記受信部は、前記ドナーｅＮＢから前記中継ノードへの前記伝送における少なくとも１つのサブフレームの最終部が未使用のまま伝送されているサブフレームを受信する様に、更に、構成されている、
ことを特徴とする請求項１０から１３のいずれか１項に記載の中継ノード。
【請求項１５】
前記受信部は、前記未使用の部分の時間長が、前記サブフレームの前記時間シフトされているＯＦＤＭシンボル期間の数に依存しているサブフレームを受信する様に、更に、構成されている、
ことを特徴とする請求項１４に記載の中継ノード。
【請求項１６】
ドナー発展型ノードＢ（ドナーｅＮＢ）（９００、１００４）から中継ノード（８００、１００６）への伝送（８０８、１０１０）と、前記中継ノードから前記中継ノードに接続する少なくとも１つの移動端末（１００８）への下りリンク伝送（８０６、１０１２）との間の干渉を回避又は軽減する様に構成された、無線通信システムの前記中継ノードであって、
前記中継ノードから前記少なくとも１つの移動端末（１００８）への前記下りリンク伝送に少なくとも１つの中断を設ける様に構成された干渉回避部（８０２）と、
前記少なくとも１つの中断の間に、前記ドナーｅＮＢからの前記伝送（８０８、１０１０）を受信する様に構成された受信部（８０４）と、
を備えており、
前記下りリンク伝送（８０６、１０１２）と、前記ドナーｅＮＢからの前記伝送（８０８、１０１０）は、重複した周波数帯域で行われ、
前記少なくとも１つの中断は、マルチキャスト／ブロードキャスト単一周波数ネットワーク・サブフレーム・フォーマット（ＭＢＳＦＮサブフレーム・フォーマット）を使用することによって設けられており、
前記干渉回避部は、前記下りリンクの中断の数を、無線フレーム当たり複数の中断から、１未満の中断の間で変化させることができる様に、更に、構成されている、
ことを特徴とする中継ノード。
【請求項１７】
ドナー発展型ノードＢ（ドナーｅＮＢ）（９００、１００４）から中継ノード（８００、１００６）への伝送（８０８、１０１０）と、前記中継ノードから前記中継ノードに接続する少なくとも１つの移動端末（１００８）への下りリンク伝送（８０６、１０１２）との間の干渉を回避又は軽減する様に構成された、無線通信システムの前記中継ノードであって、
前記中継ノードから前記少なくとも１つの移動端末（１００８）への前記下りリンク伝送に少なくとも１つの中断を設ける様に構成された干渉回避部（８０２）と、
前記少なくとも１つの中断の間に、前記ドナーｅＮＢからの前記伝送（８０８、１０１０）を受信する様に構成された受信部（８０４）と、
を備えており、
前記下りリンク伝送（８０６、１０１２）と、前記ドナーｅＮＢからの前記伝送（８０８、１０１０）は、重複した周波数帯域で行われ、
前記少なくとも１つの中断は、マルチキャスト／ブロードキャスト単一周波数ネットワーク・サブフレーム・フォーマット（ＭＢＳＦＮサブフレーム・フォーマット）を使用することによって設けられており、
前記中継ノードは、前記中断を設けるべき時点を決定する様に構成され、
前記中継ノードは、前記下りリンク伝送に設ける中断の時間間隔を、関係する移動端末と、必要に応じて前記ドナーｅＮＢに通知する様に、更に、構成されている、
ことを特徴とする中継ノード。
【請求項１８】
ドナー発展型ノードＢ（ドナーｅＮＢ）（９００、１００４）から中継ノード（８００、１００６）への伝送（８０８、１０１０）と、前記中継ノードから前記中継ノードに接続する少なくとも１つの移動端末（１００８）への下りリンク伝送（８０６、１０１２）との間の干渉を回避又は軽減する様に構成された、無線通信システムの前記中継ノードであって、
前記中継ノードから前記少なくとも１つの移動端末（１００８）への前記下りリンク伝送に少なくとも１つの中断を設ける様に構成された干渉回避部（８０２）と、
前記少なくとも１つの中断の間に、前記ドナーｅＮＢからの前記伝送（８０８、１０１０）を受信する様に構成された受信部（８０４）と、
を備えており、
前記下りリンク伝送（８０６、１０１２）と、前記ドナーｅＮＢからの前記伝送（８０８、１０１０）は、重複した周波数帯域で行われ、
前記少なくとも１つの中断は、マルチキャスト／ブロードキャスト単一周波数ネットワーク・サブフレーム・フォーマット（ＭＢＳＦＮサブフレーム・フォーマット）を使用することによって設けられており、
前記中継ノードは、前記中断を設けるべき時点を前記ドナーｅＮＢから通知される様に構成され、
前記中継ノードは、前記下りリンク伝送に設ける中断の時間間隔を、関係する移動端末に通知する様に、更に、構成されている、
ことを特徴とする中継ノード。
【請求項１９】
無線通信システムの請求項１０、１６、１７及び１８のいずれか１個に記載の中継ノード（８００、１００６）に接続するドナー発展型ノードＢ（ドナーｅＮＢ）（９００、１００４）であって、
前記ドナーｅＮＢは、前記ドナーｅＮＢから前記中継ノードへの伝送（９０６、１０１０）と、前記中継ノードから前記中継ノードに接続する少なくとも１つの移動端末（１００８）への下りリンク伝送（８０６、１０１２）との間の干渉を回避又は軽減する様に構成されており、
前記中継ノード宛てのサブフレームを、前記中継ノードの下りリンクのサブフレームに対して、１つ以上のＯＦＤＭシンボル期間だけ時間シフト（６０４）させる様に構成されている時間シフト部（９０２）と、
前記中継ノードに前記時間シフトされたサブフレームと他のサブフレームを送信する様に構成されている送信部（９０４）と、
を備えており、
前記下りリンク伝送（８０６、１０１２）と、前記ドナーｅＮＢからの前記伝送（９０６、１０１０）は、重複した周波数帯域で行われ、
前記ドナーｅＮＢは、前記中継ノードの前記下りリンク伝送に設ける中断の時間間隔を、前記中継ノードから通知される様に構成されている、
ことを特徴とするドナーｅＮＢ。
【請求項２０】
前記時間シフト部は、前記時間シフトされるＯＦＤＭシンボル期間の数を、前記中継ノードのセル内のサブフレームに使用される制御領域の期間に基づき選択する様に、更に、構成されている、
ことを特徴とする請求項１９に記載のドナーｅＮＢ。
【請求項２１】
前記ドナーｅＮＢから前記中継ノードへの前記伝送における少なくとも１つのサブフレームの最終部を未使用のまま伝送する様に構成されている送信期間短縮部を、更に、備えている、
ことを特徴とする請求項１９又は２０に記載のドナーｅＮＢ。
【請求項２２】
前記送信期間短縮部は、前記未使用の部分の時間長を、前記サブフレームの前記時間シフトされるＯＦＤＭシンボル期間の数に依存させる様に、更に、構成されている、
ことを特徴とする請求項２１に記載のドナーｅＮＢ。
【請求項２３】
前記中断は、マルチキャスト／ブロードキャスト単一周波数ネットワーク・サブフレーム・フォーマット（ＭＢＳＦＮサブフレーム・フォーマット）内にある、
ことを特徴とする請求項１９から２２のいずれか１項に記載のドナーｅＮＢ。
【請求項２４】
無線通信システムの干渉を回避又は軽減する様に構成されたシステムであって、
ドナー・セル（１００２）を制御する発展型ノードＢ（ｅＮＢ）（１００４）と、
中継ノード（１００６）と、
を備えており、
少なくとも１つの移動端末（１００８）が前記中継ノードに接続されている場合、
前記中継ノードは、  
前記移動端末への伝送（１０１２）に少なくとも１つの中断を設け、
前記少なくとも１つの中断の間、前記ドナー・セルを制御する前記ｅＮＢからの伝送（１０１０）を受信する、
様に構成されており、
前記移動端末への前記伝送（１０１２）と、前記ｅＮＢからの前記伝送（１０１０）は、重複した周波数帯域で行われ、
前記少なくとも１つの中断は、マルチキャスト／ブロードキャスト単一周波数ネットワーク・サブフレーム・フォーマット（ＭＢＳＦＮサブフレーム・フォーマット）を使用することによって設けられており、
前記ｅＮＢから前記中継ノードへの前記伝送におけるサブフレームは、前記中継ノードから前記移動端末への伝送におけるサブフレームに対して１つ以上のＯＦＤＭシンボル期間だけ時間シフト（６０４）される、
ことを特徴とするシステム。
【請求項２５】
無線通信システムの干渉を回避又は軽減する様に構成されたシステムであって、
ドナー・セル（１００２）を制御する発展型ノードＢ（ｅＮＢ）（１００４）と、
中継ノード（１００６）と、
を備えており、
少なくとも１つの移動端末（１００８）が前記中継ノードに接続されている場合、
前記中継ノードは、  
前記移動端末への伝送（１０１２）に少なくとも１つの中断を設け、
前記少なくとも１つの中断の間、前記ドナー・セルを制御する前記ｅＮＢからの伝送（１０１０）を受信する、
様に構成されており、
前記移動端末への前記伝送（１０１２）と、前記ｅＮＢからの前記伝送（１０１０）は、重複した周波数帯域で行われ、
前記少なくとも１つの中断は、マルチキャスト／ブロードキャスト単一周波数ネットワーク・サブフレーム・フォーマット（ＭＢＳＦＮサブフレーム・フォーマット）を使用することによって設けられており、
前記中断の数は、無線フレーム当たり複数の中断から、１未満の中断の間で変化させることができる、
ことを特徴とするシステム。
【請求項２６】
無線通信システムの干渉を回避又は軽減する様に構成されたシステムであって、
ドナー・セル（１００２）を制御する発展型ノードＢ（ｅＮＢ）（１００４）と、
中継ノード（１００６）と、
を備えており、
少なくとも１つの移動端末（１００８）が前記中継ノードに接続されている場合、
前記中継ノードは、  
前記移動端末への伝送（１０１２）に少なくとも１つの中断を設け、
前記少なくとも１つの中断の間、前記ドナー・セルを制御する前記ｅＮＢからの伝送（１０１０）を受信する、
様に構成されており、
前記移動端末への前記伝送（１０１２）と、前記ｅＮＢからの前記伝送（１０１０）は、重複した周波数帯域で行われ、
前記少なくとも１つの中断は、マルチキャスト／ブロードキャスト単一周波数ネットワーク・サブフレーム・フォーマット（ＭＢＳＦＮサブフレーム・フォーマット）を使用することによって設けられており、
前記中継ノードは、前記中断を設けるべき時点を決定し、
前記中継ノードは、前記中断の時間間隔を、関係する移動端末と、必要に応じて前記ｅＮＢに通知する、
ことを特徴とするシステム。
【請求項２７】
無線通信システムの干渉を回避又は軽減する様に構成されたシステムであって、
ドナー・セル（１００２）を制御する発展型ノードＢ（ｅＮＢ）（１００４）と、
中継ノード（１００６）と、
を備えており、
少なくとも１つの移動端末（１００８）が前記中継ノードに接続されている場合、
前記中継ノードは、  
前記移動端末への伝送（１０１２）に少なくとも１つの中断を設け、
前記少なくとも１つの中断の間、前記ドナー・セルを制御する前記ｅＮＢからの伝送（１０１０）を受信する、
様に構成されており、
前記移動端末への前記伝送（１０１２）と、前記ｅＮＢからの前記伝送（１０１０）は、重複した周波数帯域で行われ、
前記少なくとも１つの中断は、マルチキャスト／ブロードキャスト単一周波数ネットワーク・サブフレーム・フォーマット（ＭＢＳＦＮサブフレーム・フォーマット）を使用することによって設けられており、
前記中継ノードは、前記中断を設けるべき時点を前記ｅＮＢから通知され、
前記中継ノードは、前記中断の時間間隔を、関係する移動端末に通知する、
ことを特徴とするシステム。
【発明の詳細な説明】
【技術分野】
【０００１】
本発明は、詳細にはＥ−ＵＴＲＡＮ（発展型汎用地上無線アクセス・ネットワーク）における後方互換セルフ・バックホールを可能にする通信システムの方法及び構成に関する。
【背景技術】
【０００２】
基地局に接続する無線中継ノードの使用により、セルラ通信システムの無線サービス範囲を拡張することはある状況では有利である。中継ノードは、１つ以上のそれ自体のセルを構成するか、或いは、基地局がカバーするセルを拡張するために使用され得る。
【０００３】
ＬＴＥとしても既知であるＥ−ＵＴＲＡＮ（発展型汎用地上無線アクセス・ネットワーク）において、セルフ・バックホールは１つの中継技術であり、この技術は無線アクセス・ネットワーク規格に含まれるものと考えられる。セルフ・バックホールの概念は、無線基地局が、アンカー・セルとも呼ばれ、本明細書ではドナー・セルと呼ぶ別のセル経由でネットワークの残りの部分に無線で接続されることを意味する。ドナー・セルは、本明細書においては、ドナーｅＮＢ（発展型ノードＢ）又はドナー・ノードと呼ぶｅＮＢにより制御される。ドナーｅＮＢはアンカーｅＮＢとも呼ばれる。無線ｅＮＢを、本明細書では中継ノード（ＲＮ）又は中継器と呼ぶものとする。中継器は、セルフ・バックホールｅＮＢ又はｓ−ｅＮＢとも呼ばれる。
【０００４】
例えば、マイクロ波とも呼ばれるミニリンクのような特定の無線リンク技術による基地局への無線バックホールが、長年使用されてきた。しかしながら、これら特定の技術は、追加の通信装置又は特定の専用動作周波数帯域を必要とすることがあり、見通し条件を必要とすることもあり得る。
【０００５】
セルフ・バックホールの概念は、本明細書においてセルフ・バックホール・リンクと呼ぶドナーｅＮＢと中継ノード間のリンクが、無線アクセス・リンクと同じ周波数スペクトラムを使用、つまり、重複した周波数帯で動作可能であることを意味し、ここで、無線アクセス・リンクは、ドナー・セル内のユーザ装置（ＵＥ）とも呼ばれる移動端末と、リレー・ノードにより制御されるセル内のＵＥのためのアクセスを提供するものである。セルフ・バックホール・リンクに使用する無線技術が、ドナー・セル及び中継ノードのセルのそれぞれにおいて使用されているものと基本的に同様であり、バックホールでのアプリケーションに最適化するための幾つかの拡張を追加したものであることも一般的に想定される。例えば、ドナーｅＮＢ及び中継ノードが、それぞれのセル内のＵＥとの通信にＬＴＥ無線アクセス技術を使用する場合、セルフ・バックホール・リンクもまたＬＴＥに基づくものであるか、少なくともＬＴＥに似た無線技術に基づくものとすべきである。周波数が重複する信号は互いに干渉し、信号の受信を妨害し得る。
【発明の概要】
【発明が解決しようとする課題】
【０００６】
中継ノードは、セルフ・バックホール・リンクを満足に受信することが望ましく、本発明は、ドナーｅＮＢと中継ノード間のセルフ・バックホール・リンク及び中継ノードが制御するセル内の無線アクセス・リンクが同じ周波数スペクトラムで動作する場合に発生し得る干渉の回避又は軽減を可能にする機構を提供する。これらの目的は、添付の特許請求の範囲の独立請求項による方法及び装置により満たされる。
【課題を解決するための手段】
【０００７】
一態様によれば、ドナーｅＮＢから中継ノードへの伝送と、中継ノードから中継ノードに接続する少なくとも１つの移動端末への下りリンク伝送との間の干渉を回避又は軽減するための、無線通信システムの中継ノードにおける方法を提供する。本方法において、中継ノードから移動端末への伝送に少なくとも１つの中断を設け、少なくとも１つの中断の間に、ドナーｅＮＢからの伝送を受信する。
【０００８】
別の態様によれば、中継ノードが、無線通信システムに設けられ、ドナーｅＮＢから中継ノードへの伝送と、中継ノードから中継ノードに接続する少なくとも１つの移動端末への下りリンク伝送との間の干渉を回避又は軽減する様に構成される。中継ノードは干渉回避部を含み、干渉回避部は、中継ノードから移動端末への伝送に少なくとも１つの中断を設ける様に構成される。中継ノードはさらに受信部を含み、受信部は、中断の間にドナーｅＮＢからの伝送を受信する様に構成される。
【０００９】
さらに別の態様によれば、無線通信システムの前述した様な中継ノードに接続するドナーｅＮＢは、ドナーｅＮＢから中継ノードへの伝送と、中継ノードから中継ノードに接続する少なくとも１つの移動端末への下りリンク伝送との間の干渉を回避又は軽減する様に構成される。ドナーｅＮＢは、時間シフト部を含み、時間シフト部は、中継ノード宛てのサブフレームを、中継ノードの下りリンクのサブフレームに対し、１つ以上のＯＦＤＭシンボル期間だけシフトする様に構成される。ドナーｅＮＢはさらに伝送部を含み、伝送部は、時間シフトしたサブフレーム又はその他のサブフレームを中継ノードへ伝送する様に構成される。
【００１０】
さらに別の態様によれば、無線通信システムの干渉を回避又は軽減する様に構成されたシステムが提供される。本システムは、ドナー・セルを制御するｅＮＢ及び中継ノードを含む。少なくとも１つの移動端末が中継ノードに接続する場合、中継ノードは、移動端末への伝送に少なくとも１つの中断を設け、この中断の間にドナー・セルを制御するｅＮＢからの伝送を受信する様に構成される。
【００１１】
以上の種々の態様で、ドナーｅＮＢから中継ノードへの伝送及び中継ノードから移動端末への下りリンク伝送は、これらの伝送が互いに干渉し得る１つの理由である重複する周波数帯域で行わる。
【００１２】
上述した方法、ノード及び構成に対し種々の実施形態が可能である。１つの例示的な実施形態では、レガシー移動端末が知る下りリンク伝送サブフレーム・フォーマットを使用することにより伝送の中断を設ける。本フォーマットがレガシー・ユーザに既知の場合、実施形態は後方互換であり、レガシー・ユーザ及びその他のユーザの双方により使用することができ、システム更新の後、総てのユーザが、レガシー装置を新しいものに変更するか、更新されたバージョンに変更するまでには、幾らかの時間を要するので、このことは有利である。
【００１３】
別の実施形態では、サブフレームの内容が、サブフレームの３ＯＦＤＭシンボル未満に割り当てられた参照シンボル及び制御信号に限定されている、下りリンク伝送サブフレーム・フォーマットの使用により、中断が設けられる。レガシー移動端末にも既知であり、従ってレガシー移動端末の修正を要しないＭＢＳＦＮサブフレーム・フォーマットの使用により、中断を設けることもできる。
【００１４】
一実施形態では、下りリンク・サブフレームに対し１つ以上のＯＦＤＭシンボル期間だけ、ドナーｅＮＢから中継ノードへの伝送サブフレームを時間シフトする。この実施形態は、無線アクセス・リンクのサブフレームの第１の部分とセルフ・バックホール・リンクのサブフレームの選択部分との間の干渉を回避又は軽減することを可能にできる。時間シフトされるＯＦＤＭシンボル期間の数は、例えば中継ノードのセル内のサブフレームで使用する制御領域の期間に基づき選択することができる。それにより、セルフ・バックホール・リンクのサブフレームの第１の部分は、基本的に、無線アクセス・リンクのサブフレームの第１の部分からの干渉を受けず、よって、性能を改善することができる。しかし、セルフ・バックホール・リンクのサブフレームの幾つかの他の部分、例えば、最終部は、代わりに干渉を受けることになる。
【００１５】
さらに一実施形態では、ドナーｅＮＢから中継ノードへの伝送における少なくとも１つのサブフレームの最終部を、未使用で伝送することができる。この実施形態は、セルフ・バックホール・リンクと無線アクセス・リンク間の干渉を、さらに、回避又は軽減することを可能にできる。未使用部分の時間長は、例えば、サブフレームの時間シフトするＯＦＤＭシンボル期間数に依存するものとすることができる。
【００１６】
任意の実施形態において、下りリンクの伝送に設ける中断数は、無線フレーム当たり、１未満から複数の間で変化させることができる。
【００１７】
一実施形態において、中断を設ける時点を決定し、下りリンク伝送に設ける中断の時間間隔を関係する移動端末に通知するのは中継ノードである。必要であれば、中継ノードは、下りリンクの伝送に設ける中断の時間間隔を、ドナーｅＮＢにも通知する。ドナーｅＮＢがセルフ・バックホール・リンクで伝送する時間を中継ノードが知っているか、予測できれば、ｅＮＢへの通知は不要であるかもしれない。
【００１８】
別の実施形態において、中断を設ける時点を決定し、中継ノードが中断を設けるべき時間を中継ノードに通知するのはドナーｅＮＢである。その場合、中継ノードは、下りリンクの伝送に設ける中断の時間間隔を関係する移動端末に通知する。
【００１９】
以上の例示的実施形態の種々の特徴は、必要性、要求条件又は嗜好に従い種々の方法で組み合わせることができる。
【００２０】
例示的実施形態により、添付する図面を参照して、本発明を以下においてより詳細に説明する。
【図面の簡単な説明】
【００２１】
【図１】干渉を受けるセルフ・バックホール・リンクを示す図。
【図２】干渉を回避又は軽減する中継ノードにおける手順ステップの一実施形態を示すフローチャート。
【図３ａ】実施形態で使用できる種々のサブフレーム構成を示す図。
【図３ｂ】実施形態で使用できる種々のサブフレーム構成を示す図。
【図４】実施形態で使用できる種々のサブフレーム構成を示す図。
【図５】干渉の回避又は軽減のために記載した手順の実施形態を使用する場合のリンク間の関係の実施形態を示す図。
【図６】干渉の回避又は軽減のために記載した手順の実施形態を使用する場合のリンク間の関係の実施形態を示す図。
【図７】干渉の回避又は軽減のために記載した手順の実施形態を使用する場合のリンク間の関係の実施形態を示す図。
【図８】中継ノード及びドナーｅＮＢの実施形態を示すブロック図。
【図９】中継ノード及びドナーｅＮＢの実施形態を示すブロック図。
【図１０】一実施形態による構成を示す図。
【発明を実施するための形態】
【００２２】
本発明は、セルフ・バックホール・リンクによる伝送と、このセルフ・バックホール・リンクに接続するノードの１つと前記ノードが制御するセルによりサービスを受けるＵＥ間の伝送との間の干渉を回避又は軽減するために利用できる。
【００２３】
少なくとも部分的に同じ周波数スペクトラムで伝送が行われ、レガシーＵＥ、即ち、以前のバージョンの伝送規格又はプロトコル等により通信するＵＥに対し、通信が後方互換であることが望ましい場合、本発明は特に有用である。本発明を使用して他の類似の状況における干渉を回避又は軽減することもできる。
【００２４】
セルフ・バックホール・リンクと、ドナー及び／又は中継ノードのセル内の通信に、同じ又は重複する周波数帯域を使用することは、ネットワーク運用会社にとって、幾つかの理由により望ましい。理由の１つは、バックホール・リンク専用の追加の周波数帯域へのアクセスが必要でなくなることである。追加の周波数の取得は不可能又は高価であり得る。さらに、バックホール・リンクの通信に専用である、特定の周波数又はリンク用装置の追加の必要性が軽減される。さらに、セルフ・バックホールの使用は、多くの状況において有用である非見通し伝送も可能にすることができる。
【００２５】
本発明は、セルフ・バックホール・リンクと、中継ノードが制御するセル内の中継器−ＵＥ伝送とに対し、重複する周波数帯域を使用する場合に生じ得る干渉問題と取り組むものである。この問題を図１で以下の様に示す。中継器が、そのセルの１つの中にあるＵＥ１０８に伝送するのと同時に、ドナーｅＮＢ１０４は、セルフ・バックホール・リンク１１０で中継ノード１０６に伝送する。中継ノードは、その場合、自身からＵＥへの伝送１１２の信号を“聞き”、“聞いた”伝送１１２の信号は、ドナー・セルからの入力伝送と干渉１１６する。これにより、中継ノードは、ドナー・セルからの入力伝送信号を正しく検出することができず、重要な情報を獲得し損ねるかもしれない。
【００２６】
しかしながら、中継ノード１０６からＵＥ１０８への下りリンク伝送１１２に対する中断の挿入により、上述した干渉を回避することができる。これらの中断は、伝送信号における一定期間の“穴”又は“ギャップ”と看做すことができ、“穴”又は“ギャップ”の間、中継器は、中継器が制御するセル内の下りリンク伝送１１２からの激しい干渉を受けることなく、セルフ・バックホール・リンク１１０で入力伝送信号を受信することができる。これは、セルフ・バックホール・リンクと中継ノードのセルにおけるアクセス・リンクと間の時間多重として説明することもできる。
【００２７】
伝送の中断は、種々の方法で実装することができる。しかしながら、例えば、セルフ・バックホール・リンクを考慮していないことにより、上述した干渉問題が生じない、ＬＴＥ規格の３ＧＰＰ仕様のリリース８といった、早期の伝送プロトコルのバージョンで規定される下りリンクの伝送方法に完全に準拠するレガシーＵＥのための後方互換を実装することが強く望まれている。
【００２８】
後方互換は、レガシーＵＥが以前のバージョンの伝送プロトコルに従い動作し、ＬＴＥ規格の３ＧＰＰ仕様のリリース１０といった、より最近の、多くの変更が行われたバージョンの伝送プロトコルに従い動作するＵＥ及びノードとの通信を可能にする。後方互換システムでは、レガシーＵＥは、必ずしも新しいバージョンを“意識”する必要はなく、新しいバージョンへのアップグレート又は更新を行う必要はなく、これは利点である。
【００２９】
よって、好ましくは、レガシーＵＥに対し後方互換である様に、下りリンクの中断を設けるべきである。これに伴う課題は、レガシーＵＥは、変更できない、下りリンク伝送のあるフォーマットを期待することである。期待されているフォーマットの変更は、以前のバージョンの伝送プロトコルに変更を行うことを要求し、これは厄介であり望ましくない。
【００３０】
ＬＴＥリリース８の通常のサブフレームを図３ａに示す。それは、レガシーＵＥが、通常、期待するサブフレーム・フォーマットである。ＬＴＥサブフレームは、１ｍｓの期間を有し、この期間は、一般に、１４ＯＦＤＭ（直交周波数分割多重）シンボルの期間に等しい。一般に、サブフレームの最初の１−３のＯＦＤＭシンボルは制御情報に使用される。さらに、これらの通常のユニキャスト・サブフレームには、幾つかの必須の参照シンボルがあり、例えば、周波数‐時間グリッドに一様に分散される。これら参照シンボルは、受信部により、例えば、伝送シンボルが伝搬するチャネルの推定に使用することができる。
【００３１】
一実施形態において、中継器の下りリンクの伝送における中断は、ＭＢＳＦＮ（マルチキャスト／ブロードキャスト単一周波数ネットワーク）サブフレームの使用により設けられる。その場合、ある下りリンクのサブフレームは、ＭＢＳＦＮサブフレームと定義される。ＭＢＳＦＮサブフレームを、例えば、リリース８のレガシーＵＥは知っており、ＭＢＳＦＮ伝送のための大変異なる状態において使用されることも知っている。
【００３２】
ＭＢＳＦＮサブフレームを図３ｂ及び図４に示す。一般に、ＭＢＳＦＮサブフレームの最初の２つのＯＦＤＭシンボルは参照シンボル及び制御情報を含むことが定義されている。これら最初の２つのシンボルは“セル特定”制御領域又はユニキャスト領域を構成する。ＭＢＳＦＮサブフレームの残りの部分の内容は特定されていない。これは、通常のＬＴＥの下りリンクのサブフレームでは必須である分散された参照シンボルを除外することが可能であることを意味する。よって、ＭＢＳＦＮサブフレームの主要部４０６は、空のまま、つまり、未使用で伝送することができる。ＭＢＳＦＮサブフレームの空白部４０６は、一定の時間間隔の伝送の“穴”若しくは“ギャップ”又は伝送の中断と看做すことができる。下りリンクの伝送のこの中断又は休止は、下りリンクからの干渉を受けることなく、対応する時間間隔の間にドナーｅＮＢからの伝送信号を受信する機会を中継器に与える。
【００３３】
ユニキャスト領域４０４は、２つのアンテナポートでの伝送の場合におけるサブフレームの最初のＯＦＤＭシンボルに参照シンボルを含み、４つのアンテナポートでの伝送の場合におけるサブフレームの最初及び２番目のＯＦＤＭ−シンボルに参照シンボルを含む。参照シンボルを含むことに加えて、この領域は、総て又は部分的にＬ１／Ｌ２制御信号、つまり、ＨＡＲＱ（ハイブリッド自動反復要求）の承認及びスケジューリングの付与に同意に使用される。別途言及されなければ、レガシーＵＥは、ＭＢＳＦＮサブフレームのユニキャスト領域を除く総ての領域を無視する。
【００３４】
ＭＢＳＦＮサブフレームとして定義される下りリンクのサブフレーム数は、フレーム当たり幾つかのサブフレームから、フレーム当たり１未満のサブフレーム、例えば、４フレーム毎に１サブフレーム、で変化させることができる。ＭＢＳＦＮサブフレームの数は、例えば、セルフ・バックホール・リンクの通信量に従い変化させることができる。一般に、１フレーム又は１無線フレームは、１０サブフレームを含んでいる。
【００３５】
一実施形態において、中継ノードは、ＭＢＳＦＮサブフレームとして定義するのに適したサブフレームを決定する。中継ノードは、続いて、ＭＢＳＦＮサブフレームを下りリンクで伝送する時点を、ドナーｅＮＢ及び関係するＵＥに伝達する。それにより、ドナーｅＮＢは、セルフ・バックホール・リンクでの中継器への伝送に有利／適する時間間隔を“知る”。
【００３６】
本発明の別の実施形態において、ドナーｅＮＢは、セルフ・バックホール・リンクでの中継ノードへの伝送時間及び中継ノードにおいてＭＢＳＦＮサブフレームとして定義すべきサブフレームを決定する。ドナーｅＮＢは、続いて、ＭＢＳＦＮサブフレームを下りリンクで伝送する時点を中継ノードに伝達し、中継ノードは、ＭＢＳＦＮサブフレームについてＵＥに通知する。ドナーｅＮＢは、中継器がＭＢＳＦサブフレームを下りリンクで伝送している時間間隔において、セルフ・バックホール・リンクでの伝送を行うので、中継器は、セルフ・バックホール・リンクで期待される伝送の時間間隔又は時点を“知る”。
【００３７】
別の実施形態において、セルフ・バックホール・リンクにおけるドナーｅＮＢからの伝送の発生を、中継ノードは知っているか、予測可能である。例えば、中継ノードが知っている、或いは、中継ノードが予測できる一定の方法で、伝送の発生をスケジュールすることができる。セルフ・バックホール・リンクでの入力伝送信号が期待されるとき、中継ノードは、下りリンクにＭＢＳＦＮサブフレームを挿入することにより、ドナーｅＮＢからの伝送に適応することができる。中継ノードは、ＭＢＳＦＮサブフレームが期待される時点をＵＥにも通知する。この実施形態において、ドナーｅＮＢは、ＭＢＳＦＮサブフレームの挿入を認識しない。
【００３８】
セルフ・バックホール・リンクと、ＲＮ−ＵＥリンクの両方がＬＴＥに基づくものであり、同じサブフレーム構成を有する場合、図５に示す様に、中継器の下りリンク伝送信号の制御領域５０８は、セルフ・バックホールの伝送信号の対応部５０６と激しく干渉することにる。セルフ・バックホールの伝送信号の対応部が特に重要と考えられる場合、これは特に問題となる。サブフレームの第１の部分のこの干渉を回避又は軽減するために、図６に概略を示す様に、セルフ・バックホール・リンクの時間をずらす、つまり、時間シフトすることができる。中継器の下りリンクで伝送されるサブフレームの制御領域６０８の長さが１ＯＦＤＭシンボルであれば、ずれ６０４は、少なくとも１ＯＦＤＭシンボル期間とすべきである。同様に、中継ノードの下りリンクで伝送されるサブフレームの制御領域６０８の長さが２ＯＦＤＭシンボルであれば、ずれ６０４は、少なくとも２ＯＦＤＭシンボル期間とすべきである。
【００３９】
ずらしの使用はセルフ・バックホール・リンクにおけるサブフレームの第１の部分の干渉問題を回避又は軽減することになるが、サブフレームの別の部分に干渉を移動させることになる。例えば、セルフ・バックホール・リンクにおけるサブフレームの最終部６０６は、中継器のセルにおける後続のサブフレームの伝送により厳しく干渉され得る。
【００４０】
上述した干渉は、図７に示す別の可能な実施形態で回避することができる。セルフ・バックホール・リンクのサブフレーム最終部において中継器の下りリンクからの干渉が発生する場合、セルフ・バックホール・リンクにおけるサブフレーム長は、干渉を回避又は軽減するために短縮することができる。換言すれば、サブフレームの長さは、ずれ量７０４に依存させることができ、よって、例えば、中継器の下りリンクのサブフレームにおけるユニキャスト領域７０８の長さに依存させることができる。従って、図７に示す様に、ドナーｅＮＢは、通常のサブフレーム期間の最終部７０６の間はセルフ・バックホール・リンクにおける伝送を控える。
【００４１】
あるいは、ドナーｅＮＢは、セルフ・バックホール・リンクにおけるサブフレームの最終部の間にも伝送し、セルフ・バックホール・リンクに適用するチャネル符号化を、干渉を十分に克服するものとする。
【００４２】
図５から図７は、部分的に干渉を受ける複数の連続するＭＢＳＦＮサブフレームと“セルフ・バックホール・リンクのサブフレーム”を示している。しかしながら、下りリンクに設ける中断と、セルフ・バックホール・リンクにおける伝送は、上述したシナリオに限定されない。中断を含む下りリンクのサブフレーム数は、フレーム当たり幾つかのサブフレームから、フレーム当たり１未満のサブフレームに変化させることができる。
【００４３】
図８は一実施形態による無線通信システムの中継ノード８００を示す。中継ノード８００は、ドナーｅＮＢから中継ノードへの伝送８０８と、中継ノード８００から中継ノードに接続する（図示しない）少なくとも１つの移動端末への下りリンク伝送８０６との間の干渉を回避又は軽減する様に構成される。中継ノード８００は、干渉回避部８０２を含み、干渉回避部８０２は、中継ノード８００から移動端末への伝送８０６の信号に少なくとも１つの中断を設ける様に構成される。中継ノード８００は、さらに受信部８０４を含み、受信部８０４は、中断の間にドナーｅＮＢからの伝送８０８の信号を受信する様に構成される。
【００４４】
図９は一実施形態による無線通信システムにおいて（図示しない）中継ノードに接続するドナーｅＮＢ９００を示している。ドナーｅＮＢ９００は、ドナーｅＮＢから中継ノードへの伝送９０６と、中継ノードから中継ノードに接続する（図示しない）少なくとも１つの移動端末への（図示しない）下りリンク伝送との間の干渉を回避又は軽減する様に構成される。ドナーｅＮＢは、時間シフト部９０２を含み、時間シフト部９０２は、中継ノードの下りリンクのサブフレームに対して、１つ以上のＯＦＤＭシンボル期間だけ中継ノード宛てのサブフレームを時間シフトする様に構成される。ドナーｅＮＢ９００は、さらに伝送部９０４を含み、伝送部９０４は、時間シフトしたサブフレーム又はその他のサブフレームを中継ノードに伝送する様に構成される。
【００４５】
図８及び図９は、中継ノード８００及びｅＮＢ９００の種々の機能部を単に論理的意味で図示するにすぎないことに留意すべきである。しかしながら、実際には、当業者はあらゆる適するソフトウェア及びハードウェアを使用してこれらの機能を自由に実装できる。従って、本発明は、一般に図示する中継ノード８００及びｅＮＢ９００の構成に限定されない。
【００４６】
図１０は一実施形態によるシステム１０００を示す。システム１０００は、無線通信システムにおける干渉を回避又は軽減する様に構成される。システムはドナー・セル１００２を制御するｅＮＢ１００４と、中継ノード１００６を含む。少なくとも１つの移動端末１００８が、中継ノードに接続する場合、中継ノードは、移動端末１００８への伝送１０１２に少なくとも１つの中断を設け、設けた中断の間にドナー・セル１００２を制御するｅＮＢ１００４からの伝送１０１０の信号を受信する様に構成される。
【図１】
0005341193.tif 000002
【図２】
0005341193.tif 000003
【図３ａ】
0005341193.tif 000004
【図３ｂ】
0005341193.tif 000005
【図４】
0005341193.tif 000006
【図５】
0005341193.tif 000007
【図６】
0005341193.tif 000008
【図７】
0005341193.tif 000009
【図８】
0005341193.tif 000010
【図９】
0005341193.tif 000011
【図１０】
0005341193.tif 000012